【事件の表示】
　特願２００２−２５５７３０「マークシートの作成プログラム、及びマークシート作成装置」拒絶査定不服審判事件〔平成１６年　３月２５日出願公開、特開２００４−　９０４５５〕について、次のとおり審決する。
【結　論】
　本件審判の請求は、成り立たない。
【理　由】
１　手続の経緯・本願発明
　本願は、平成１４年８月３０日の出願であって、平成１８年８月７日に手続補正がなされたところ、同年８月２９日付けで拒絶査定がなされ、これに対し、同年１０月５日に拒絶査定不服審判請求がなされるとともに同日付けで手続補正がなされ、その後平成２１年４月６日付けで当審において拒絶理由が通知され、同年６月５日付けで手続補正がなされたものである。
　
　そして、その請求項に係る発明は、平成２１年６月５日付け手続補正により補正された特許請求の範囲の請求項１〜６に記載された事項により特定されるものであると認められるところ、請求項１に係る発明は次のものである。
　
「コンピューターを、
　設問特定記号及びこれに対応する複数のマーク選択記入部を１組として、複数の組が含まれた記入部編集領域を設定する記入部編集領域設定手段と、
　前記複数の組の数に応じて、記入部編集領域内で前記複数の組を間隔が等しい行列に配列する行列配置手段と、
　前記配列された複数の組のマーク選択記入部の配置に対応して、該マーク選択記入部に上下に記入される記入線より上下間隔が短くかつ該マーク選択記入部の横寸法よりも長い寸法の矩形図形で表示された縦配列のマーク読取り指標、及び該マーク選択記入部に上下に記入される記入線より上下間隔が短くかつ該マーク選択記入部の横寸法よりも長い寸法の矩形図形で表示された横配列のマーク読取り指標をマーク選択記入部と重ならない位置にそれぞれ位置決めする記入部マーク読取り指標位置決め手段と、
　前記行列配置手段によって配列された前記複数の組の設問特定記号及びマーク選択記入部、並びに前記記入部マーク読取り指標位置決め手段によって位置決めされた縦配列のマーク読取り指標及び横配列のマーク読取り指標を備えたマークシートを、プリンタを用いて作成する作成手段と、
　スキャナーで読み取った、作成されたマークシートの前記縦配列のマーク読取り指標及び前記横配列のマーク読取り指標の縦横延長上の重なる矩形部分の読み取り結果に基づいて、前記マーク選択記入部に記入線が記入されているか否かを判断する判断手段と、
　して機能させるためのマークシートの作成プログラム。」（以下「本願発明」という。）
　
　
２　引用刊行物の記載事項
　本願の出願前に頒布され、当審の拒絶の理由に引用された刊行物である特開平１１−３２７４２６号公報（以下「引用刊行物」という。）には、図とともに下記の事項が記載されている。
　
（１）「【００２０】・・・問題に組み合わせて使う解答用紙として、マークシートの例を図５に示す。」
　
（２）「【図面の簡単な説明】
　・・・
　【図５】問題の解答が正しいか誤りかを記入する解答用紙の一例である。」
　
（３）以下のア、イの事項が、図５から見て取れる。
　ア　答案用紙（解答用紙）に、各問題番号（「問１」、「問２」、・・・、「問１００」）毎に、「正」を塗り潰す欄と「誤」を塗り潰す欄が、それぞれ対応して配置されていること。
　イ　前記各問題番号と、それにそれぞれ対応して配置されている「正」を塗り潰す欄と「誤」を塗り潰す欄とが、答案用紙（解答用紙）の右下領域に、縦方向及び横方向に複数配列されていること。
　
　よって、これらの記載を総合すると、引用刊行物には、次の発明（以下「引用発明」という。）が記載されていると認められる。
　
「問題に組み合わせて使い、その問題の解答が正しいか誤りかを記入するマークシートの解答用紙であって、
　各問題番号毎に、「正」を塗り潰す欄と「誤」を塗り潰す欄が、それぞれ対応して配置されているとともに、
　前記各問題番号と、それにそれぞれ対応して配置されている「正」を塗り潰す欄と「誤」を塗り潰す欄とが、解答用紙の右下領域に、縦方向及び横方向に複数配列されている、マークシートの解答用紙。」
　
３　対比、判断
　本願発明と引用発明を対比する。
　
（１）引用発明の「マークシートの解答用紙」は、「各問題番号毎に、『正』を塗り潰す欄と『誤』を塗り潰す欄が、それぞれ対応して配置されている」から、引用発明の「問題番号」及び「『正』を塗り潰す欄と『誤』を塗り潰す欄」は、それぞれ、本願発明の「マークシートの作成プログラム」により作成されるマークシートにおける、「設問特定記号」及び「これに対応する複数のマーク選択記入部」に相当する。
　
（２）引用発明の「マークシートの解答用紙」は、「各問題番号と、それにそれぞれ対応して配置されている『正』を塗り潰す欄と『誤』を塗り潰す欄とが、解答用紙の右下領域に、縦方向及び横方向に複数配列されている」から、
　ア　引用発明の「マークシートの解答用紙」は、本願発明の「マークシート」に相当するとともに、
　イ　引用発明における「各問題番号と、それにそれぞれ対応して配置されている『正』を塗り潰す欄と『誤』を塗り潰す欄」は、本願発明の「マークシートの作成プログラム」により作成されるマークシートにおける、「設問特定記号及びこれに対応する複数のマーク選択記入部を１組と」するものであり、
　ウ　引用発明の「解答用紙の右下領域」は、本願発明の「マークシートの作成プログラム」により作成されるマークシートの「記入部編集領域」に相当するとともに、引用発明は、本願発明の「マークシートの作成プログラム」により作成されるマークシートの「記入部編集領域」を有するものといえ、
　エ　引用発明の「マークシートの解答用紙」は、本願発明の「マークシートの作成プログラム」により作成されるマークシートの、「設問特定記号及びこれに対応する複数のマーク選択記入部を１組として、複数の組が含まれた記入部編集領域」を有するものであり、かつ、「記入部編集領域内で前記複数の組を」「行列に配列」し、との事項を備えるものであり、
　オ　引用発明の「マークシートの解答用紙」は、本願発明の「配列された前記複数の組の設問特定記号及びマーク選択記入部を備えたマークシート」との事項を備える。
　
　したがって、本願発明の「マークシートの作成プログラム」により作成されるマークシートと引用発明とは、　  
「設問特定記号及びこれに対応する複数のマーク選択記入部を１組として、複数の組が含まれた記入部編集領域を有し、
　記入部編集領域内で前記複数の組を行列に配列し、
　配列された前記複数の組の設問特定記号及びマーク選択記入部を備えたマークシート。」
である点で一致し、本願発明と引用発明とは次の点で相違する。　  
 　 
相違点
　本願発明は、マークシートの作成プログラムであって、該マークシートの作成プログラムは、コンピューターを、設問特定記号及びこれに対応する複数のマーク選択記入部を１組として、複数の組が含まれた記入部編集領域を設定する記入部編集領域設定手段と、前記複数の組の数に応じて、記入部編集領域内で前記複数の組を間隔が等しい行列に配列する行列配置手段と、前記配列された複数の組のマーク選択記入部の配置に対応して、該マーク選択記入部に上下に記入される記入線より上下間隔が短くかつ該マーク選択記入部の横寸法よりも長い寸法の矩形図形で表示された縦配列のマーク読取り指標、及び該マーク選択記入部に上下に記入される記入線より上下間隔が短くかつ該マーク選択記入部の横寸法よりも長い寸法の矩形図形で表示された横配列のマーク読取り指標をマーク選択記入部と重ならない位置にそれぞれ位置決めする記入部マーク読取り指標位置決め手段と、前記行列配置手段によって配列された前記複数の組の設問特定記号及びマーク選択記入部、並びに前記記入部マーク読取り指標位置決め手段によって位置決めされた縦配列のマーク読取り指標及び横配列のマーク読取り指標を備えたマークシートを、プリンタを用いて作成する作成手段と、スキャナーで読み取った、作成されたマークシートの前記縦配列のマーク読取り指標及び前記横配列のマーク読取り指標の縦横延長上の重なる矩形部分の読み取り結果に基づいて、前記マーク選択記入部に記入線が記入されているか否かを判断する判断手段として機能させるものであるのに対し、引用発明は、設問特定記号及びこれに対応する複数のマーク選択記入部を１組として、複数の組が記入部編集領域内で行列に配列されたマークシート自体であって、その作成がいかになされるのか不明であり、また、プリンタを用いて作成され、作成されたマークシートの縦配列のマーク読取り指標及び横配列のマーク読取り指標の縦横延長上の重なる矩形部分のスキャナーによる読み取り結果に基づいて、マーク選択記入部に記入線が記入されているか否かを判断するのか否か、が不明であり、さらに、マークシートに、配列された複数の組のマーク選択記入部の配置に対応する縦配列及び横配列のマーク読取り指標がない点。
　
　上記相違点につき検討する。
　引用発明のような「設問特定記号及びこれに対応する複数のマーク選択記入部を１組として、複数の組が含まれた記入部編集領域を有し、記入部編集領域内で前記複数の組を行列に配列し、配列された前記複数の組の設問特定記号及びマーク選択記入部を備えたマークシート」を作成する際にコンピューターを用いることは当業者が容易になし得ることであるところ、マーク記入欄（本願発明の「複数のマーク選択記入部」に相当。）を縦横方向に多数配列したマークシートにおいて、該マーク記入欄の配列方向の延長上に縦配列及び横配列のマーク指標（本願発明の「縦配列のマーク読取り指標」及び「横配列のマーク読取り指標」に相当。）を設けることは本願出願前に周知であり（例えば、特開平１０−１０５０８８号公報（【００４０】、図１１）、特開平１０−３９８０３号公報（【００３２】、図１３）、特開平１０−１４３０９６号公報（【００３８】、図１１）、特開平８−７９４２１号公報（図１９）参照。）、また、縦配列のマーク読取り指標をマーク記入部に記入される記入線より上下間隔が短くかつ該マーク選択記入部の横寸法よりも長い矩形図形で表示するマークシートは本願出願前に周知である（例えば、特開平５−１３０２９２号公報（図４）、特開昭６２−８１１６２号公報（第２図）、特開昭６２−５９４５７号公報（第２図）、特開昭６３−５０１６０号公報（第３図の「マークの読み取り指示子１９」）参照。）ことを考慮すると、引用発明において、「正」を塗りつぶす欄及び「誤」を塗りつぶす欄の配列方向の延長上に縦配列及び横配列のマーク読取り指標を設け、該横配列のマーク読取り指標の矩形図形を前記縦配列のマーク指標の矩形図形と同様の矩形図形となすとともに、該「マークシートの解答用紙」を作成するためのプログラムとして、コンピューターを、設問特定記号及びこれに対応する複数のマーク選択記入部からなる複数の組が含まれた記入部編集領域を設定する記入部編集領域設定手段、前記複数の組の数に応じて、記入部編集領域内で前記複数の組を間隔が等しい行列に配列する行列配置手段、及び、前記配列された複数の組のマーク選択記入部の配置に対応して、該マーク選択記入部に上下に記入される記入線より上下間隔が短くかつ該マーク選択記入部の横寸法よりも長い寸法の矩形図形で表示された縦配列のマーク読取り指標、及び該マーク選択記入部に上下に記入される記入線より上下間隔が短くかつ該マーク選択記入部の横寸法よりも長い寸法の矩形図形で表示された横配列のマーク読取り指標をマーク選択記入部と重ならない位置にそれぞれ位置決めする記入部マーク読取り指標位置決め手段として機能させるものを構成することは、当業者が必要に応じて適宜になし得ることである。また、マークシートを画像印刷装置（プリンタ）で印刷することは本願の出願前に周知であり（必要なら、特開平１０−１３６４３号公報（【００２３】、図４）、特開平８−１３９８４６号公報（【０００１】、【０００６】、図６）参照。）、また、タイミングマーク（本願発明の「縦配列のマーク読取り指標」に相当。）及びマーク列指定マーク（本願発明の「横配列のマーク読取り指標」に相当。）の縦横延長上の重なる矩形部分の読み取り結果に基づいて、マーク欄が塗りつぶされているか否かを判断することも本願の出願前に周知であるから（必要なら、上記特開平８−７９４２１号公報（【０００５】、図２０）参照。）、前記「マークシートの解答用紙」の作成プログラムを、コンピューターを、マークシートをプリンタを用いて作成する作成手段として機能させるとともに、スキャナーで読み取った、作成されたマークシートの縦配列のマーク読取り指標及び横配列のマーク読取り指標の縦横延長上の重なる矩形部分の読み取り結果に基づいて、マーク選択記入部に記入線が記入されているか否かを判断する判断手段、として機能するものとすることは、当業者が必要に応じて適宜になし得ることである。
　
　そして、本願発明によってもたされる効果は、引用発明及び上記各周知技術から当業者が予測し得る程度のものである。
　
　したがって、本願発明は、引用刊行物に記載された発明及び周知技術に基いて当業者が容易に発明をすることができたものである。
　
４　むすび
　以上のとおり、本願発明は、引用刊行物に記載された発明及び周知技術に基いて当業者が容易に発明をすることができたものであるから、特許法第２９条第２項の規定により特許を受けることができない。
　
　よって、結論のとおり審決する。